(57)【要約】【課題】標準反射板をデジタルカメラとともに携行するようなことなく、精度の良いホワイトバランス調整を行うことができるデジタルカメラを提供する。【解決手段】デジタルカメラであって、前記デジタルカメラ本体に着脱自在に取り付けられ、前記デジタルカメラの操作を行うための操作パネルと、前記操作パネルに備えられた無彩色の反射板と、前記反射板を含む撮影対象を撮影し画像データを作成する撮影手段とを有する。操作パネルに備えられた反射板を撮影することにより、撮影された画像データの中の反射板の画素データを用いてホワイトバランスの調整を行う。【選択図】図１
2007243755.tif 000002
【特許請求の範囲】
【請求項１】
デジタルカメラであって、
前記デジタルカメラ本体に着脱自在に取り付けられ、前記デジタルカメラの操作を行うための操作パネルと、
前記操作パネルに備えられた無彩色の反射板と、
前記反射板を含む撮影対象を撮影し画像データを作成する撮影手段と、
を有することを特徴とするデジタルカメラ。
【請求項２】
請求項１に記載のデジタルカメラであって、
前記デジタルカメラ本体と前記操作パネルとの間の情報を相互に授受する双方向通信手段と、
前記画像データを表示する画像表示手段と、をさらに有し、
前記操作パネルは、前記デジタルカメラのシャッタを操作するためのスイッチを備えることを特徴とするデジタルカメラ。
【請求項３】
請求項２に記載のデジタルカメラであって、
前記反射板は、前記操作パネルの前記画像表示手段が備えられている面と反対側の面に備えられていることを特徴とするデジタルカメラ。
【請求項４】
請求項２に記載のデジタルカメラであって、
前記画像データのなかの前記反射板が撮影されている領域である反射板領域を検索する反射板領域検索手段と、
前記反射板領域の画素データを用いて、ホワイトバランスの調整をするホワイトバランス調整手段と、をさらに有することを特徴とするデジタルカメラ。
【請求項５】
請求項４に記載のデジタルカメラであって、
前記反射板領域検索手段は、前記画像データを前記画像表示手段に表示し、
前記画像表示手段に表示した前記画像データの中で指定された領域を前記反射板領域とすることを特徴とするデジタルカメラ。
【請求項６】
請求項４に記載のデジタルカメラであって、
ホワイトバランス調整手段は、前記画像データのホワイトバランスの調整に使用した調整値を記憶することを特徴とするデジタルカメラ。
【発明の詳細な説明】
【技術分野】
【０００１】
本発明は、さまざまな光源の下でのデジタルカメラによる撮影対象の撮影により得られた画像データによって再現される撮影対象の色が、本来の撮影対象の色に一致するように補正するためのホワイトバランスの調整を行うデジタルカメラに関する。
【背景技術】
【０００２】
カメラなどで写真を撮影すると、光源の影響で写真に写った撮影対象の色が変わってしまうことがある。例えば、夕日やロウソクの灯を光源として撮影すると全体的に赤っぽい写真となる。これは、光源の色温度の違いによるもので、夕日やロウソクの灯など色温度の低い光源の下で撮影すると白いものが赤っぽく写り、青空など色温度の高い光源の下で撮影すると白いものが青っぽく写るようになる。そのため、撮影対象の色を正確に撮影するには、光源の色温度に応じて画像データの色を調整するホワイトバランス調整を行う必要がある。ホワイトバランス調整は、灰色の標準反射板と呼ばれる紙片をデジタルカメラで撮影した画像データを用意し、この画像データ内の標準反射板の色が元の灰色になるような補正値を求める。そして、画像データ全体に対して、求めた補正値で色を補正していくことによって行われる。また、画像データ内の色の分布を調べ、この色の分布をあらかじめ定めてある適正な色の分布になるように補正することによって、ホワイトバランス調整を行うデジタルカメラもある（例えば、特許文献１）。
【０００３】
【特許文献１】特開２０００−１３８０７号公報
【発明の開示】
【発明が解決しようとする課題】
【０００４】
しかしながら、標準反射板を使用してホワイトバランス調整を行う方法は、標準反射板をデジタルカメラと共に携行する必要があり煩雑である。また、画像データ全体の色の分布からホワイトバランス調整を行う方法は、撮影対象によっては、あらかじめ定めてある色の分布に当てはまらない場合があり、精度の良いホワイトバランス調整を行うことができない場合がある。
【０００５】
本発明は、このような従来の問題点に着目してなされたもので、その目的は、標準反射板をデジタルカメラとともに携行するようなことなく、精度の良いホワイトバランス調整を行うことができるデジタルカメラを提供することにある。
【課題を解決するための手段】
【０００６】
本発明に係るデジタルカメラは、上記課題を解決すべく、基本的に、デジタルカメラであって、前記デジタルカメラ本体に着脱自在に取り付けられ、前記デジタルカメラの操作を行うための操作パネルと、前記操作パネルに備えられた無彩色の反射板と、前記反射板を含む撮影対象を撮影し画像データを作成する撮影手段と、を有することを要旨とする。
【０００７】
本発明に係るデジタルカメラによれば、撮影手段により作成された画像データには、デジタルカメラに着脱自在に取り付けられた操作パネルに備えられた無彩色の反射板が撮影される。こうすれば、画像データの中の反射板の部分を用いて、ホワイトバランス調整を行うことができる。また、無彩色の反射板が操作パネルに備え付けられているので従来の標準反射板のように撮影のたびに携行する必要がなく、簡単にホワイトバランス調整を行うことができる。
【０００８】
また、上記した本発明に係るデジタルカメラは、前記デジタルカメラ本体と前記操作パネルとの間の情報を相互に授受する双方向通信手段と、前記画像データを表示する画像表示手段と、をさらに有し、前記操作パネルは、前記デジタルカメラのシャッタを操作するためのスイッチを備える。
【０００９】
本発明に係るデジタルカメラによれば、画像表示手段は、双方向通信手段によりデジタルカメラ本体から操作パネルに送信された画像データを表示し、操作パネルのシャッタを操作するスイッチの情報は双方向通信手段により操作パネルからデジタルカメラ本体に送信される。こうすれば、本発明のデジタルカメラを用いて撮影をする撮影者は、操作パネルをデジタルカメラ本体から取り外し、画像表示手段により表示された画像を見ながらシャッタを押すことができる、そのため、ホワイトバランス調整を行うために必要な操作パネルに備えられた反射板が撮影されているかどうかを簡単に確認することができる。
【００１０】
また、上記した本発明に係るデジタルカメラでは、前記反射板は、前記操作パネルの前記画像表示手段が備えられている面と反対側の面に備えられる。
【００１１】
こうすれば、操作パネルをデジタルカメラに画像表示手段が表になるように取り付けると、反射板は操作パネルの裏になるため見えなくなる。そのため、デジタルカメラ本体の色と反射板の色が異なる場合でも見栄えを良くすることができる。
【００１２】
また、上記した本発明に係るデジタルカメラでは、前記画像データのなかの前記反射板が撮影されている領域である反射板領域を検索する反射板領域検索手段と、前記反射板領域の画素データを用いて、ホワイトバランスの調整をするホワイトバランス調整手段と、をさらに有する。
【００１３】
こうすれば、反射板領域検索手段は、ホワイトバランス調整手段がホワイトバランスを調整するために必要な反射板の画素データの位置を示す反射板領域を画像データの中から検索する。そのため、画像データのホワイトバランス調整をデジタルカメラで行うことができる。
【００１４】
また、上記した本発明に係るデジタルカメラでは、前記反射板領域検索手段は、前記画像データを前記画像表示手段に表示し、前記画像表示手段に表示した前記画像データの中で指定された領域を前記反射板領域とする。
【００１５】
こうすれば、画像データを画像表示手段に表示した状態で反射板領域が撮影者により指定することができるので、反射板領域の位置を正確にすることができる。
【００１６】
また、上記した本発明に係るデジタルカメラでは、ホワイトバランス調整手段は、前記画像データのホワイトバランスの調整に使用した調整値を記憶する。
【００１７】
こうすれば、同じ条件の撮影では、ホワイトバランスの調整を一回だけ行い、そのときの調整値を使用した他の撮影を行うことができる。
【発明を実施するための最良の形態】
【００１８】
以下、本発明を具体化した実施例について図面を用いて説明する。
【実施例１】
【００１９】
図１は本発明の一実施例によるデジタルカメラの構造を説明するための説明図である。デジタルカメラは、デジタルカメラ本体１００と、デジタルカメラ本体１００に着脱自在に取り付けられた操作パネル２００から構成される。
【００２０】
デジタルカメラ本体１００は、レンズ１、絞り機構２、シャッタ３等からなる光学系を有し、この光学系を介して撮影対象からの撮像光を受光して電気信号に変換するＣＣＤ４を有する。また、デジタルカメラ本体１００は、ＣＣＤ４からの信号を処理して多値（Ｒ，Ｇ，Ｂ）のラスタデータ（画像データ）を出力する画像データ作成部５、画像データ作成部５が作成した画像データを一時的に格納するフレームメモリ６、及びフレームメモリ６上の画像データをＩ／Ｆ１０又は記録媒体制御部８に出力する画像データ出力部７を有する。光学系、ＣＣＤ４、及び画像データ作成部５は、撮影対象を撮影し画像データを作成する撮影手段として機能する。
【００２１】
画像データ出力部７が出力した画像データは記録媒体制御部８を介して記録媒体９に格納され、必要に応じてＩ／Ｆ１０を介して外部に出力される。さらに、デジタルカメラ本体１００は、光学系を制御する光学系制御手段１１、ＬＣＤ３１に画像データを表示させる画像表示手段１２、画像データのホワイトバランスを調整するホワイトバランス調整手段２０、反射板３３を撮影した画像データの中の反射板３３のある範囲を示す反射板領域を検索する反射板領域検索手段２１、操作パネル２００との通信を行う双方向通信手段Ａ２２、及び制御部１５を有する。
【００２２】
一方、操作パネル２００は、デジタルカメラ本体１００との通信を行う双方向通信手段Ｂ３０、画像データを表示するＬＣＤ３１、デジタルカメラ本体１００の操作を行うためのシャッタボタン７０、ズームボタン７４、カーソルキー７２、ホワイトバランス調整ボタン７６（図３参照）などの操作スイッチ群３２、及び無彩色の反射板３３を有する。双方向通信手段Ａ２２と双方向通信手段Ｂ３０は、有線、無線、又は赤外線信号等でお互いに情報を送受信することで、操作パネル２００は操作スイッチ群３２の信号、例えば、シャッタボタン７０が押された等の信号をデジタルカメラ本体１００に送信し、デジタルカメラ本体１００からは、画像表示手段１２によりＬＣＤ３１に表示するべき画像データが送信される。
【００２３】
画像データ出力部７は、操作スイッチ群３２の中にあるシャッタボタン７０が押されると、画像データ作成部５が作成しフレームメモリ６に格納されている画像データから、ＪＰＥＧ圧縮したＪＰＥＧ画像データと、画像を縮小したサムネイル画像を作成しＩ／Ｆ１０又は記録媒体制御部８に出力する。
【００２４】
記録媒体制御部８は、画像データ出力部７の出力したＪＰＥＧ画像データ及びサムネイル画像を記録媒体９の所定の位置へ記録する処理と、記録されたＪＰＥＧ画像データの読み出し処理を行う。また、Ｉ／Ｆ１０は、シリアル又はパラレルなどで外部装置とデータの授受を行うためのものであり、記録媒体９に格納されたＪＰＥＧ画像データをＩ／Ｆ１０を介して外部装置、例えば、パソコン等のコンピュータ装置、モデム、プリンタ等に出力する。記録媒体９は、デジタルカメラ本体１００の内部に固定されたフラッシュメモリ及び／又は着脱可能なメモリカード等の拡張記録媒体である。
【００２５】
光学系制御手段１１は、フレームメモリ６に格納されたデータに基づいて絞り機構２及びシャッタ３等を制御し、また、ＣＣＤ４の蓄積時間等を制御して露出を適正に制御する。画像表示手段１２は、フレームメモリ６に格納された画像データをＬＣＤ３１へ出力して画像表示を行う。
【００２６】
制御部１５は、ＣＰＵ１６、ＲＯＭ１７及びＲＡＭ１８等から構成され、画像データ作成部５、画像データ出力部７、記録媒体制御部８、光学系制御手段１１、画像表示手段１２、ホワイトバランス調整手段２０、反射板領域検索手段２１、及び双方向通信手段Ａ２２の動作制御、画像処理および画像圧縮・伸張処理等の実行を制御する。なお、ＲＯＭ１７にはデジタルカメラ本体１００の動作制御、データ圧縮・伸張処理等内部でのデータ処理に必要なプログラム群が格納されている。
【００２７】
ホワイトバランス調整手段２０は、画像データの色が正しくなるようにホワイトバランスを調整する調整値を求め画像データ全体の色の調整を行う。反射板領域検索手段２１は、画像表示手段１２を用いて画像データを表示し、操作パネル２００のカーソルキー７２を用いて画像データの中の反射板３３のある領域をデジタルカメラの利用者に指定させることで反射板領域を得る。この反射板領域は、ホワイトバランス調整手段２０に渡され、ホワイトバランスの調整に使われる。なお、反射板領域には、反射板３３の中の一部が含まれていれば良い。
【００２８】
実施例１の反射板３３は灰色のシートであり、操作パネル２００に接着材などで貼り付けられる。ホワイトバランス調整手段２０は、画像データのうちの反射板領域の画素の色と実際の反射板３３の色から、画像データの色を調整する調整値を求める。そして、この調整値を用いて、画像データ全体の色を調整し、どのような光源の下での撮影された画像データであっても、白いものは白く記録されるように調整することができる。また、反射板３３の備えられている操作パネル２００は、デジタルカメラ本体１００に取り付けることができるので、撮影する場所への移動に際して、従来の標準反射板のようなホワイトバランスの調整を行うための部材の存在を意識する必要がない。
【００２９】
図２は、実施例１のデジタルカメラのレンズ側の概観を説明するための説明図である。このデジタルカメラは、上部に電源ボタン５０を有し、レンズ側の面には、ストロボ発光部５２、赤外線信号を受光する赤外線受光窓と赤外線信号を投光する赤外線投光窓が組み込まれた赤外線送受信窓５４、及びレンズ１を有する。赤外線送受信窓５４により、双方向通信手段Ａ２２が、操作パネル２００との通信を行う。
【００３０】
図３は、実施例１のデジタルカメラのレンズ１のある面の反対側の概観を説明するための説明図である。図３は、操作パネル２００をデジタルカメラ本体１００に取り付けた状態の図である。操作パネル２００は、操作スイッチ群３２として、シャッタボタン７０、カーソルキー７２、ズームボタン７４、ホワイトバランス調整ボタン７６など、デジタルカメラ本体１００を操作するための複数のスイッチを有する。また、取外ボタン７８は、操作パネル２００をデジタルカメラ本体１００から取り外すためのボタンである。凹部５６は、操作パネル２００を取り外すときに指を入れるために使われる。
【００３１】
図４は、デジタルカメラ本体１００から取り外した操作パネル２００を左上から見た斜視図である。コネクタ８０により、双方向通信手段Ａ２２及び双方向通信手段Ｂ３０に使用される有線の各種信号線が接続される。操作パネル２００がデジタルカメラ本体１００に取り付けられているときは、双方向通信手段Ａ２２と双方向通信手段Ｂ３０は、コネクタ８０により接続される信号線を用いて情報を相互に授受する。
【００３２】
図５は、操作パネル２００のＬＣＤ３１とは反対側の面、すなわち、デジタルカメラ本体１００に取り付けたときに隠れる側から見た斜視図である。取り付けフック８２は、操作パネル２００をデジタルカメラ本体１００に取り付けるときに、操作パネル２００をデジタルカメラ本体１００に固定するためのフックである。反射板３３は、反射率１８％の灰色に着色されたシートであり、操作パネル２００に接着材などで貼り付けられる。また、操作パネル２００の一部の面を直接灰色に着色し、その灰色の部分を反射板３３としても良い。
【００３３】
赤外線送受信窓８４は、デジタルカメラ本体１００の赤外線送受信窓５４と赤外線信号で通信を行うためのものであり、内部は、赤外線を送信する赤外線投光窓と赤外線を受信する赤外線受光窓に分かれている。操作パネル２００がデジタルカメラ本体１００から取り外されているときは、双方向通信手段Ａ２２と双方向通信手段Ｂ３０は、赤外線送受信窓５４と赤外線送受信窓８４を用いて情報を相互に授受する。
【００３４】
図６は、撮影者９２が自分自身の撮影とホワイトバランスの調整を行う場合の位置関係を説明するための説明図である。デジタルカメラ本体１００は、撮影者９２の方向に向けた状態で三脚９０に固定される。撮影者９２はデジタルカメラ本体１００から取り外した操作パネル２００を反射板３３をデジタルカメラ本体１００の方に向けた状態で手に持つ。このとき、デジタルカメラ本体１００からは、画像表示手段１２により、画像データ作成部５が作成した画像データが、双方向通信手段Ａ２２、赤外線送受信窓８４、赤外線送受信窓５４、双方向通信手段Ｂ３０を介して、操作パネル２００の撮影者側の面にあるＬＣＤ３１に送られ表示される。この状態で、デジタルカメラにより、ホワイトバランスの調整及び撮影者９２の撮影が行われる。
【００３５】
図７は、デジタルカメラの処理手順を説明するフローチャートである。以下、このフローチャートを用いて、撮影者９２が自分自身の撮影とホワイトバランスの調整を行う方法を説明する。
【００３６】
まず、ステップＳ１００にて、画像データ作成部５がＣＣＤ４の信号から画像データを作成する。次に、ステップＳ１１０にて、反射板領域検索手段２１が持っている内部状態がマークありになっているかどうかを調べる。マークありの状態になっている場合は、ステップＳ１２０に進む。一方、マークなしの状態である場合は、ステップＳ１３０に進む。ここで、マークありの状態とは、ホワイトバランス調整ボタン７６が押され、反射板領域検索手段２１が画像データの中の反射板３３の位置を検索する状態であることを示し、マークなしの状態は、ホワイトバランス調整ボタン７６が押される前の状態を示す。
【００３７】
次に、ステップＳ１２０にて、反射板領域検索手段２１は画像データにマーク９４を追加し、画像表示手段１２はマーク９４が追加された画像をＬＣＤ３１に表示する。図８が、このときに表示される画像であり、この画像には、撮影者９２、操作パネル２００、及び反射板３３、及びマーク９４が表示される。
【００３８】
マークなしの状態のとき、すなわち、ホワイトバランス調整ボタン７６が押される前は、ステップＳ１３０により、画像データにマーク９４が追加されていない画像が表示される。
【００３９】
ステップＳ１４０にて、ホワイトバランス調整ボタン７６が押されたかどうかを調べる。ホワイトバランス調整ボタン７６が押されていれば、ステップＳ１５０に進む。一方、ホワイトバランス調整ボタン７６が押されていなければ、ステップＳ１６０に進む。
【００４０】
ステップＳ１５０にて、反射板領域検索手段２１は、内部状態をマークありの状態にし、マーク９４の内部的な位置を画像データの中央にする。そして、ステップＳ１００に戻り、ステップＳ１２０にて、画面の中央にマーク９４が追加された画像をＬＣＤ３１に表示する。
【００４１】
ステップＳ１６０では、マークありの状態でかつカーソルキー７２が押されたかどうかを調べる。マークありの状態でかつカーソルキー７２が押されている場合は、ステップＳ１７０に進む。一方、マークなしの状態か又はカーソルキー７２が押されていない場合は、ステップＳ１８０に進む。
【００４２】
ステップＳ１７０にて、撮影者９２が行ったカーソルキー７２の操作信号を読み取り、マーク９４の位置を変更する。なお、ここでは、マーク９４の位置は、反射板領域検索手段２１が保持している内部的なマーク９４の位置を変更するだけである。実際にＬＣＤ３１に表示されているマーク９４の位置が変更されるのは、次にステップＳ１２０を実行したときになる。このように、ステップＳ１００からステップＳ１７０までのループで、マーク９４の追加された画像データの表示と、カーソルキー７２の操作によるマーク９４の移動が繰り返される。撮影者９２は、ＬＣＤ３１に表示される画像を見ながら、カーソルキー７２を操作してマーク９４を反射板３３の上に移動させることで反射板３３の位置を指定することになる。
【００４３】
ステップＳ１８０にて、シャッタボタン７０が押されたかどうかを調べる。シャッタボタン７０が押されていれば、ステップＳ１９０に進む。一方、シャッタボタン７０が押されていなければ、ステップＳ１００に進む。
【００４４】
ステップＳ１９０にて、内部状態が、マークありの状態であるかどうか調べる。マークありの状態である場合は、ステップＳ２００に進む。一方、マークなしの状態である場合は、ステップＳ２２０に進む。
【００４５】
ステップＳ２００にて、マーク９４の位置から画像データの中の反射板領域を特定する。反射板領域は、画像データの中のマーク９４のある位置を中心とする数画素の範囲とする。
【００４６】
実施例１では、撮影者９２にマーク９４を移動させて反射板３３の位置を特定させたが、画像データの中の画素を検索して、反射板３３に近い色の領域を探して、反射板３３の位置を特定しても良い。この場合は、ホワイトバランス調整ボタン７６を押すと、反射板領域検索手段２１が画像データの画素を検索し、反射板３３の色に近い色の領域があるかどうかを調べる。反射板３３の色に近い領域が見つかった場合は、その領域に反射板３３があるとする。
【００４７】
次に、ステップＳ２１０にて、画像データの中の反射板領域の画素の色が元の反射板３３の色になるよう調整する調整値を算出し、保存する。
【００４８】
ステップＳ２２０にて、ステップＳ２１０で算出されたホワイトバランスの調整値が保存されているかを調べる。ホワイトバランスの調整値が保存されている場合は、ステップＳ２３０に進む。一方、ホワイトバランスの調整が保存されていない場合は、ステップＳ２４０に進み、画像データをメモリカードなどに記録する。
【００４９】
ステップＳ２３０にて、保存されているホワイトバランスの調整値を用いて、画像データのホワイトバランスの調整を行う。
【００５０】
ステップＳ２４０にて、画像データをメモリカードなどの記録媒体に記録する。ホワイトバランス調整手段２０は、画像データをメモリカードに記録した後も、ホワイトバランスの調整値は保持するので、２回目以降の撮影では、ホワイトバランス調整ボタン７６を押さずにシャッタボタン７０を押すだけで、同じ調整値でホワイトバランスの調整を行うことができる。そのため、同じような状況の撮影では一回だけホワイトバランス調整ボタン７６を押し反射板３３を撮影すれば良い。なお、ホワイトバランス調整手段２０が保持しているホワイトバランスの調整値は、ホワイトバランス調整ボタン７６を２回連続して押すかデジタルカメラの電源をＯＦＦにするなどして消去する。
【００５１】
また、ホワイトバランス調整ボタン７６を押さない通常の撮影では、シャッタボタン７０を押すと、ステップ２４０で、画像データがそのまま記録されることになる。
【００５２】
また、実施例１では、ホワイトバランス調整ボタン７６を押したときにマーク９４が表示されるようにしたが、ホワイトバランス調整ボタン７６を使わず、常に表示しても良い。このときは、シャッタボタン７０が押されると、反射板領域検索手段２１は、マーク９４付近の画素の色が灰色に近いかを調べる。灰色に近くない場合は、反射板３３が撮影されていないとして反射板領域はないことにする。灰色に近いかどうかの判定は、反射板３３をさまざまな色温度の光源の下で撮影した画像データの色をあらかじめ調べておき、マーク９４付近の画素の色がその色の中に含まれるかどうかで判断する。
【００５３】
このように実施例１のデジタルカメラでは、デジタルカメラ本体１００から操作パネル２００を取り外し、操作パネル２００によりデジタルカメラ本体１００を双方向通信手段Ａ２２及び双方向通信手段Ｂ３０を介してリモートで操作することができる。また、操作パネル２００のＬＣＤ３１には、デジタルカメラ本体１００が撮影している画像データが表示されるので、撮影者９２はＬＣＤ３１を見て、操作パネル２００に備えられている反射板３３が撮影されていることを確認してからシャッタボタン７０又はホワイトバランス調整ボタン７６を押すことができる。しかも、反射板３３はＬＣＤ３１の反対側の面にあるので、ＬＣＤ３１を見ながらシャッタボタン７０を押せば、反射板３３はデジタルカメラ本体１００の方向に向いており、反射板３３が撮影されることになる。
【００５４】
また、反射板領域検索手段２１が表示させるマーク９４で反射板領域を確実に指定できるので、ホワイトバランス調整手段２０は、画像データの中の反射板３３の画素を正確に取得でき、ホワイトバランスの調整も精度良く行うことができる。
【００５５】
以下、前記実施例１のデジタルカメラに関する変形例を記載する。
（変形例１）
反射板領域検索手段２１は、ＬＣＤ３１にマーク９４を表示して反射板領域を撮影者９２に指定させるのではなく、反射板領域を画像データの中央に固定し、画像データの中央に灰色に近い色でない画素があれば反射板領域がないものとする。こうすれば、撮影者９２は、ホワイトバランスの調整を行うとき、ＬＣＤ３１に表示されている画像データの中央に反射板３３がくるようにして撮影するだけで、ホワイトバランスの調整が行えることになる。
【００５６】
（変形例２）
ステップＳ２３０にて、ホワイトバランスの調整を行う前に、タイマーで数秒間待ち状態を作り、その後に画像データ作成部５がＣＣＤ４の信号から画像データを作成する。そして、この新しい画像データに対してホワイトバランスの調整を実行し、ステップＳ２４０で記録する。こうすれば、ホワイトバランスの調整を行うときは、シャッタボタン７０を押した瞬間の画像でホワイトバランスの調整値を算出し、その後の数秒間の待ち状態の間に、撮影者９２は操作パネルを画像データに入らないように隠すことができる。そのため、反射板３３の撮影された画像データを記録しなくても良くなる。
【図面の簡単な説明】
【００５７】
【図１】本発明の一実施例によるデジタルカメラの構造を説明するための説明図。
【図２】デジタルカメラのレンズ側の概観を説明するための説明図。
【図３】デジタルカメラのレンズ１のある面の反対側の概観を説明するための説明図。
【図４】デジタルカメラ本体から取り外した操作パネルの斜視図。
【図５】デジタルカメラ本体に取り付けたときに隠れる側から見た操作パネル２００の斜視図。
【図６】撮影者が自分自身の撮影とホワイトバランスの調整を行う場合の位置関係を説明するための説明図。
【図７】ホワイトバランスの調整方法を説明するためのフローチャート。
【図８】ホワイトバランスの調整をするときにＬＣＤに表示される画像を説明するための説明図。
【符号の説明】
【００５８】
１００…デジタルカメラ本体、２００…操作パネル、１…レンズ、２…絞り機構、３…シャッタ、４…ＣＣＤ、５…画像データ作成部、６…フレームメモリ、７…画像データ出力部、８…記録媒体制御部、９…記録媒体、１０…Ｉ／Ｆ、１１…光学系制御手段、１２…画像表示手段、１５…制御部、１６…ＣＰＵ、１７…ＲＯＭ、１８…ＲＡＭ、２０…ホワイトバランス調整手段、２１…反射板領域検索手段、２２…双方向通信手段Ａ、３０…双方向通信手段Ｂ、３１…ＬＣＤ、３２…操作スイッチ群、３３…反射板、５０…電源ボタン、５２…ストロボ発光部、５４…赤外線送受信窓、５６…凹部、７０…シャッタボタン、７２…カーソルキー、７４…ズームボタン、７６…ホワイトバランス調整ボタン、７８…取外ボタン、８０…コネクタ、８２…取り付けフック、８４…赤外線送受信窓、９０…三脚、９２…撮影者、９４…マーク。
【図１】
2007243755.tif 000003
【図２】
2007243755.tif 000004
【図３】
2007243755.tif 000005
【図４】
2007243755.tif 000006
【図５】
2007243755.tif 000007
【図６】
2007243755.tif 000008
【図７】
2007243755.tif 000009
【図８】
2007243755.tif 000010